(57)【要約】【課題】車両による一般廃棄物等の荷物収集に関する状況を客観的に示すことができる運行状況記録装置及び運行状況提示システムを提供する。【解決手段】電子制御装置１０の制御部１６は、ドライブレコーダー２６からの画像に基づいて車両の位置を特定し、荷重センサ２５Ａ〜２５Ｄからのデータに基づいて、車両に積載されたごみの重量を算出する。制御部１６は、特定した位置、算出した重量、及びごみが積載された日時を、互いに関連付けて本体メモリ１２に記録する。【選択図】図１
2020194213.tif 000002
【特許請求の範囲】
【請求項１】
荷物を収集する車両の運行状況を記録する運行状況記録装置であって、
前記車両に搭載されたカメラが撮影した画像に基づいて前記車両の位置を特定する特定部と、
前記車両に積載された荷物の重量を算出する算出部と、
特定した位置、算出した重量、及び前記荷物が積載された日時を、互いに関連付けて記録する記録部と、を備える
ことを特徴する運行状況記録装置。
【請求項２】
前記特定部が特定した前記車両の位置が、予め登録された地点であるかを判断し、予め登録された地点である場合に報知信号を生成する制御部を備える
ことを特徴とする請求項１に記載の運行状況記録装置。
【請求項３】
前記制御部は、複数の施設をいずれの順序で移動するかを定めたルートを示すルート情報を参照して、前記特定部が特定した前記車両の位置が、予め登録された地点であるか否かを判断する
ことを特徴とする請求項２に記載の運行状況記録装置。
【請求項４】
日付又は曜日が予め定められた条件を満たすか否かを判断する判断部を備え、
前記条件を満たす場合、前記記録部は、前記算出部に前記荷物の重量を算出させず、前記記録部に、特定した位置、及び前記荷物が積載された日時を、互いに関連付けて記録させる
ことを特徴とする請求項１から３のいずれか一項に記載の運行状況記録装置。
【請求項５】
前記算出部は、前記特定部が特定した前記位置における前記荷物の増加分を前記重量として算出する
ことを特徴とする請求項１から３のいずれか一項に記載の運行状況記録装置。
【請求項６】
前記カメラが撮影した画像には、施設に設置され前記施設を示す識別情報を記録したコードが含まれ、
前記特定部は、前記画像から前記コードを認識し、前記コードから読み取った前記識別情報が示す前記施設の位置を前記車両の位置として特定する
ことを特徴とする請求項１から５のいずれか一項に記載の運行状況記録装置。
【請求項７】
請求項１から６のいずれか一項に記載された運行状況記録装置と、
前記運行状況記録装置が記録した内容をリアルタイムで提示する提示装置と、
を備える運行状況提示システム。
【発明の詳細な説明】
【技術分野】
【０００１】
本発明は、運行状況記録装置及び運行状況提示システムに関する。
【背景技術】
【０００２】
可燃ごみや不燃ごみといった一般廃棄物は、ごみ収集所に集積され、自治体による管理の下、廃棄物収集車（ごみ収集車）によって収集され、清掃工場に搬入される。このようなごみの収集管理を行うための廃棄物収集管理システムが提案されている（例えば、特許文献１又は２参照。）。また、産業廃棄物について、排出事業者から搬出され中間処理施設を経て最終処分場で処分されるまでの工程を管理する廃棄物管理システムが提案されている（例えば、特許文献３参照。）。
【先行技術文献】
【特許文献】
【０００３】
【特許文献１】特開２００８−１５５９９１号公報
【特許文献２】特開２００４−１７５５５６号公報
【特許文献３】特開２００６−３１８４６８号公報
【発明の概要】
【発明が解決しようとする課題】
【０００４】
一般廃棄物の収集においては、例えば、ごみ収集所においてごみ収集車がごみを収集した後に新たにごみが置かれた場合に、住民から「ごみが収集されていない」とのクレームが自治体に寄せられることがある。このような場合に備えて、実際にごみを収集したことを示す証拠（エビデンス）を残したいという要望がある。また、ごみ収集車が現在どの辺りを通過しているかといった、ごみ収集車の運行状況を知りたいという要望もある。
【０００５】
特許文献１に記載された廃棄物収集管理システムは、廃棄物の集積場に設置されたＩＣタグを、ごみ収集車両に備えられたハンディターミナルで読み取り、読み取った立ち寄り情報を情報管理センターに送ることで、収集忘れの可能性を把握できる。しかし、特許文献１のシステムにおいては、廃棄物の集積場ごとに、作業員がハンディターミナルでＩＣタグを読み取る必要があるため、手間がかかる。また、作業員が読み取り作業を忘れるおそれがある。
【０００６】
特許文献２に記載された廃棄物収集管理システムは、ごみ種別や世帯情報等の廃棄物管理情報が書き込まれたＩＤタグをごみ袋に取り付け、ごみ袋の収集後、廃棄物収集ステーションにてＩＤタグを読み取ることで、地域毎の廃棄物情報の管理を行う。しかし、特許文献２のシステムにおいては、予めＩＤタグを配布し、ＩＤタグをごみ袋ごとに取り付ける必要があるため、手間がかかる。また、特許文献３に記載された廃棄物管理システムは、まず、排出事業所から搬出された産業廃棄物に一次トラッキングＩＤを割り当てる。そして、廃棄物管理システムは、中間処理施設における中間処理によって発生した二次生成物に二次トラッキングＩＤを割り当て、一次トラッキングＩＤと関連付けて管理する。しかし、特許文献３のシステムは、廃棄物の数量等の情報を含む産業廃棄物管理票によって管理される産業廃棄物に関するものであり、一般廃棄物を対象としておらず、一般のごみ収集のような、個別のごみ収集所の管理には適用できない。
【０００７】
本発明は、上述した事情に鑑みてなされたものであり、その目的は、車両による一般廃棄物等の荷物収集に関する状況を客観的に示すことができる運行状況記録装置及び運行状況提示システムを提供することにある。
【課題を解決するための手段】
【０００８】
前述した目的を達成するために、本発明に係る運行状況記録装置及び運行状況提示システムは、下記（１）〜（７）を特徴としている。
（１）  荷物を収集する車両の運行状況を記録する運行状況記録装置であって、
前記車両に搭載されたカメラが撮影した画像に基づいて前記車両の位置を特定する特定部と、
前記車両に積載された荷物の重量を算出する算出部と、
特定した位置、算出した重量、及び前記荷物が積載された日時を、互いに関連付けて記録する記録部と、を備える
ことを特徴する運行状況記録装置。
（２）  前記特定部が特定した前記車両の位置が、予め登録された地点であるかを判断し、予め登録された地点である場合に報知信号を生成する制御部を備える
ことを特徴とする上記（１）に記載の運行状況記録装置。
（３）  前記制御部は、複数の施設をいずれの順序で移動するかを定めたルートを示すルート情報を参照して、前記特定部が特定した前記車両の位置が、予め登録された地点であるか否かを判断する
ことを特徴とする上記（２）に記載の運行状況記録装置。
（４）  日付又は曜日が予め定められた条件を満たすか否かを判断する判断部を備え、
前記条件を満たす場合、前記記録部は、前記算出部に前記荷物の重量を算出させず、前記記録部に、特定した位置、及び前記荷物が積載された日時を、互いに関連付けて記録させる
ことを特徴とする上記（１）〜（３）のいずれか一に記載の運行状況記録装置。
（５）  前記算出部は、前記特定部が特定した前記位置における前記荷物の増加分を前記重量として算出する
ことを特徴とする上記（１）〜（３）のいずれか一に記載の運行状況記録装置。
（６）  前記カメラが撮影した画像には、施設に設置され前記施設を示す識別情報を記録したコードが含まれ、
前記特定部は、前記画像から前記コードを認識し、前記コードから読み取った前記識別情報が示す前記施設の位置を前記車両の位置として特定する
ことを特徴とする上記（１）〜（５）のいずれか一に記載の運行状況記録装置。
（７）  上記（１）〜（６）のいずれか一に記載された運行状況記録装置と、
前記運行状況記録装置が記録した内容をリアルタイムで提示する提示装置と、
を備える運行状況提示システム。
【０００９】
上記（１）の構成の運行状況記録装置によれば、車両が荷物を収集した位置及び日時、並びに、積載された荷物の重量を関連付けて記録することにより、車両の荷物収集に関する状況を客観的に示すことができる。例えば、ごみ等の廃棄物を収集する廃棄物収集車が廃棄物を収集する際、廃棄物を収集した場所及び日時を、実際に収集した廃棄物の重量と関連付けて記録できる。よって、ごみ収集車のごみ収集業務に関するエビデンスを提示できる。
【００１０】
上記（２）の構成の運行状況記録装置によれば、予め登録された地点に車両が到着したことを運転者（作業者）に知らせることができるため、予め登録された地点をうっかり通り過ぎることを防止できる。
【００１１】
上記（３）の構成の運行状況記録装置によれば、ルート情報にしたがった車両の運行が可能となる。
【００１２】
上記（４）の構成の運行状況記録装置によれば、予め定めた日付又は曜日には、荷物の重量を算出せず、車両が荷物を収集した位置及び日時を記録できる。したがって、特定廃棄物を収集する日付や曜日を事前に設定することで、例えばペットボトルなどの軽量なものを収集する際には、積載重量表示をキャンセルできる。よって、演算負荷を低減しつつ必要なエビデンスを残すことができる。
【００１３】
上記（５）の構成の運行状況記録装置によれば、車両が位置する地点で積載された荷物の重量を直接的に記録できる。
【００１４】
上記（６）の構成の運行状況記録装置によれば、施設に設置されたコードを撮影した画像からコードを認識することで、コードが示す施設に車両が実際に到着したことを把握できる。例えば、ごみ収集所にＱＲコード（登録商標）を設置しておき、車両がごみ収集所に到着し、ＱＲコードが撮影されて認識されると、車両がごみ収集所に到着したと判断できる。よって、車載カメラからの出力に対して画像認識を行うことで、容易に車両の到着地を判別できる。
【００１５】
上記（７）の構成の運行状況提示システムによれば、車両の荷物収集に関する状況をリアルタイムで確認できる。
【発明の効果】
【００１６】
本発明によれば、車両による一般廃棄物等の荷物収集に関する状況を客観的に示すことができる
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本実施形態の運行状況記録装置の構成例を示すブロック図である。
【図２】図２は、荷重センサの構成例を示すブロック図である。
【図３】図３（ａ）、図３（ｂ）、および図３（ｃ）は、それぞれ運行状況記録装置が搭載されたごみ収集車の構成例を表す正面図、右側面図、および底面図である。
【図４】図４は、電子制御装置におけるごみ収集に関する設定動作を示すフローチャートである。
【図５】図５は、曜日別の収集ルートの設定例を示す図である。
【図６】図６は、特定廃棄物の収集日の設定例を示す図である。
【図７】図７は、電子制御装置におけるごみ収集所の認識処理を示すフローチャートである。
【図８】図８は、ごみ収集所における認識処理のイメージ図である。
【図９】図９は、電子制御装置における記録処理を示すフローチャートである。
【図１０】図１０は、通常ごみの収集状況を提示するウェブページのイメージ図である。
【図１１】図１１は、特定廃棄物の収集状況を提示するウェブページのイメージ図である。
【発明を実施するための形態】
【００１９】
本発明に関する具体的な実施形態について、各図を参照しながら以下に説明する。
【００２０】
図１は、本実施形態の運行状況記録装置の構成例を示すブロック図である。
図１に示した運行状況記録装置は、荷物（廃棄物）を収集する車両（ごみ収集車）の運行状況を記録するものであり、車載器の本体として車両に搭載される電子制御装置１０を備えている。また、この電子制御装置１０に記録カード２１、警報出力部２２、車両電源２３、無線通信部２４、４つの荷重センサ２５Ａ〜２５Ｄ、ドライブレコーダー２６、および設定用パソコン２７が接続されている。
【００２１】
また、電子制御装置１０は、旋回加速度検出部１１、本体メモリ１２、外部出力Ｉ／Ｆ（インタフェース）１３、警報出力部１４、表示部１５、制御部１６、電源部１７、および入出力Ｉ／Ｆ１８を備えている。
【００２２】
記録カード２１は、電子制御装置１０に対して着脱自在な不揮発性のメモリカードであり、運転者毎に個別に用意される。この記録カード２１は、ごみを収集した位置、ごみの収集量（重量値）及びごみの収集日時に関する情報を含む運行記録情報を記録するために利用できる。
【００２３】
警報出力部２２は、ごみ収集作業を行うべきごみ収集所（施設）であることを示す警報を、表示、警報音、文字情報などの形態で自車両の運転手や、ごみ収集作業を行う作業者などに報知するために利用される。
車両電源２３は、車両に搭載されているバッテリーなどの電源であり、電子制御装置１０等の車載器に対して所定の直流電力を供給することができる。
無線通信部２４は、サーバ（図示せず）と無線通信を行い、データを送受信する。
【００２４】
荷重センサ２５Ａ、２５Ｂ、２５Ｃ、および２５Ｄは、それぞれ、前方左側（ＦＬ）、前方右側（ＦＲ）、後方左側（ＲＬ）、および後方右側（ＲＲ）の各位置の車輪を支持するサスペンションに加わる荷重の大きさを計測できるように設置されている。
【００２５】
ドライブレコーダー２６は、車両周囲（前方）の画像を撮影するカメラ機能を有し、得られた画像のデータを自動的に記録する車載器である。ドライブレコーダー２６は、交通事故発生時の衝撃などの特定のイベントを検知した時にだけ画像を記録する一時記録機能と、イベントの発生とは無関係に常時記録を実行する常時記録機能とを有する。
設定用パソコン２７は、電子制御装置１０に対して接続可能な汎用コンピュータであり、電子制御装置１０に対して、「曜日別のごみ収集ルート」や「ペットボトルなどの特定廃棄物の収集日」を設定するためのものである。
【００２６】
旋回加速度検出部１１は、自車両の旋回時に荷物等に加わる水平面内の加速度の方向および大きさを表す電気信号を出力できる。
本体メモリ１２は、事前に定めた各種定数データや電子制御装置１０の動作に必要なプログラムが書き込まれた不揮発性メモリ（ＥＥＰＲＯＭなど）と、一時データを保持するためのメモリ（ＲＡＭ）とを備えている。
【００２７】
外部出力Ｉ／Ｆ１３は、制御部１６が記録カード２１のデータにアクセスするための信号処理と、警報出力部２２への信号出力のための制御を実施する。
警報出力部１４は、電子制御装置１０に内蔵された警報ランプやブザーなどを用いて異常の発生やごみ収集作業を行うべきごみ収集所であることを運転手に報知するために利用される。
【００２８】
表示部１５は、自車両の運転手の位置から視認が容易な状態で配置された平面ディスプレイを備えている。この平面ディスプレイの二次元画面に、カラー画像や文字情報などを必要に応じて表示できる。表示部１５は、自車両の現在位置が、ごみ収集作業を行うべきごみ収集所であることを示す情報を表示できる。
【００２９】
制御部１６は、マイクロコンピュータを主体とする電子回路により構成され、事前に用意されたプログラムを実行することにより、電子制御装置１０に必要とされる各種の制御機能を実現する。
【００３０】
電源部１７は、車両電源２３から供給される電力に基づいて、安定した直流電力を生成し、この直流電力は電子制御装置１０内部の各回路と、荷重センサ２５Ａ〜２５Ｄへ電源として供給される。
入出力Ｉ／Ｆ１８は、無線通信部２４、荷重センサ２５Ａ〜２５Ｄ等からの各信号を制御部１６に入力するための信号処理を実施する。
【００３１】
荷重センサ２５の構成例を図２に示す。図１中に示した荷重センサ２５Ａ〜２５Ｄのそれぞれが図２の荷重センサ２５に相当する。
【００３２】
図２に示すように、この荷重センサ２５は歪み検出素子３１、専用ＩＣ（ＡＳＩＣ）３２、Ｖ／Ｆ変換回路３３、ＭＣＵ（マイクロコントローラ）３４、入出力Ｉ／Ｆ３５、および電源回路３６を内蔵している。
【００３３】
歪み検出素子３１は、これが設置されている箇所に加わる荷重により生じる歪み量を検出する。専用ＩＣ３２は、歪み検出素子３１が検出した歪み量、すなわち荷重に相当する電圧（Ｖ）の電気信号を生成する。Ｖ／Ｆ変換回路３３は、専用ＩＣ３２が出力する信号の電圧変化を周波数（Ｆ）の変化に変換する。具体的には、Ｖ／Ｆ変換回路３３が出力するパルス信号の周波数が、歪み検出素子３１に加わった荷重に相当する。
【００３４】
ＭＣＵ３４は、Ｖ／Ｆ変換回路３３が出力するパルス信号の周波数に基づいて、検出された荷重の大きさを表すデータを生成する。ＭＣＵ３４が生成した荷重の検出データは、入出力Ｉ／Ｆ３５を経由して電子制御装置１０に入力される。電源回路３６は、荷重センサ２５内の各部に電源を供給する。
【００３５】
図３は、図１に示した運行状況記録装置が搭載されたごみ収集車（以下、単に「車両」と称する。）車両４１の構成例を示す。図３（ａ）、図３（ｂ）、および図３（ｃ）は、それぞれ車両４１の正面図、右側面図、および底面図である。
【００３６】
図３（ａ）に示した例では、車両４１の運転席の近傍に電子制御装置１０が設置されている。電子制御装置１０に接続された４つの荷重センサ２５Ａ、２５Ｂ、２５Ｃ、および２５Ｄは、それぞれ、左前方の車輪４４Ａ、右前方の車輪４４Ｂ、左後方の車輪４４Ｃ、および右後方の車輪４４Ｄの近傍に設置されている。荷重センサ２５Ａ及び２５Ｂは車軸４３Ａに設置され、荷重センサ２５Ｃ及び２５Ｄは車軸４３Ｂに設置される。
【００３７】
車両４１の荷台４２の内部空間には、曜日又は日によって種別の異なる種々のごみ、すなわち、可燃ごみや不燃ごみ等の一般廃棄物及びペットボトルなどの特定廃棄物が積載される。ごみの積載が開始されると、各荷重センサ２５Ａ〜２５Ｄから各車輪４４Ａ〜４４Ｄに加わる荷重データが電子制御装置１０に送られる。
【００３８】
図４は、電子制御装置１０におけるごみ収集に関する設定動作を示すフローチャートである。車両４１によるごみ収集業務の事前準備として、図４に示す設定動作を電子制御装置１０の制御部１６が実行する。
【００３９】
制御部１６は、曜日別のごみ収集ルートを設定する（ステップＳ１１）。図５は、曜日別の収集ルートの設定例を示す図である。図５の例では、月曜日の収集ルートは、初めにａ収集所、二番目にｂ収集所、三番目にｃ収集所、・・・と設定されている。このように、各曜日の収集ルートには、複数のごみ収集所が含まれ、複数のごみ収集所をいずれの順序で移動するかが定められている。図５の例ではごみ収集所の名称が示されているが、収集ルートの情報として、ごみ収集所（施設）の名称に加えて又は代えて、ごみ収集所の住所や電話番号等といった、地点を特定するための識別情報を含んでもよい。
【００４０】
次に、制御部１６は、ペットボトルなどの特定廃棄物の収集日を設定する（ステップＳ１２）。図６は、特定廃棄物の収集日の設定例を示す図である。図６の例では、ペットボトルなどの特定廃棄物の収集日として、４月１日、４月１０日、４月２０日、・・・と設定されているが、特定の月日に代えて、毎週火曜日又は第一及び第三火曜日のように、曜日を設定してもよい。図４に示す設定動作は、電子制御装置１０に対して、（１）設定用パソコン２７を接続、（２）記録カード２１によるローディング、又は、（３）無線通信部２４を介したサーバとの通信、のいずれかを実施することにより行われる。設定された「曜日別のごみ収集ルート」及び「ペットボトルなどの特定廃棄物の収集日」の情報は、本体メモリ１２に記憶される。以上のように、設定動作が行われる。
【００４１】
図７は、電子制御装置１０におけるごみ収集所の認識処理を示すフローチャートである。車両４１が走行を開始すると、電子制御装置１０の制御部１６は、図７に示すごみ収集所自動認識処理を実行する。この処理は、車両４１の走行中すなわち車両４１によるごみ収集業務中、所定の間隔で繰り返し実行される。
【００４２】
制御部１６は、ドライブレコーダー２６からの映像（画像）が入力されると（ステップＳ２１）、映像に含まれるＱＲコード（登録商標）を認識し、解析する（ステップＳ２２、Ｓ２３）。制御部１６は、解析した結果、ＱＲコードが、設定されたごみ収集所を示す識別情報を含むものであるか否かを判断する（ステップＳ２４）。具体的には制御部１６は、本体メモリ１２に記憶される「曜日別のごみ収集ルート」の情報を参照して、ＱＲコードに含まれる識別情報が、該当する曜日のごみ収集ルートに含まれるごみ収集所を示すかを判断する。設定されたごみ収集所でなければ制御部１６はステップＳ２１の処理に戻る。設定されたごみ収集所であれば、制御部１６は、車両４１の現在位置を示す情報として、このごみ収集所名を本体メモリ１２に保存する（ステップＳ２５）。そして、制御部１６は、報知信号を生成し、この報知信号に基づいて、車両４１の現在位置が、ごみ収集作業を行うべきごみ収集所であることを示す警報（ごみ収集の警報）を警報出力部１４に出力させて（ステップＳ２６）、処理を終了する。尚、ステップＳ２５において、ＱＲコードに含まれる識別情報が、該当する曜日のごみ収集ルートに含まれるごみ収集所を示すことに加え、そのごみ収集所が設定された順序に従うものか否かを判断してもよい。これにより、ごみ収集ルートに示された順序に従った車両４１の運行が可能となる。また、あるごみ収集所のＱＲコードが読み取れなかった場合には、作業者の操作によりごみ収集所名が選択又は入力される構成としてもよい。
【００４３】
図８は、ごみ収集所における認識処理のイメージ図である。図８に示すように、ａごみ収集所には、ＱＲコード５０が掲示されている。車両４１がａごみ収集所に接近し、ドライブレコーダー２６の撮影画像にＱＲコード５０が含まれ、認識された場合、電子制御装置１０は、ＱＲコード５０に含まれる識別情報が、設定された曜日別のごみ収集ルート上のごみ収集所を示すか否かの判定を行う。そしてＱＲコード５０が設定されたａごみ収集所を示すと判定した電子制御装置１０は、ごみ収集の警報を出力する。この警報により、運転者（作業者）は、車両４１が、予め登録されたごみ収集所に到着したことを認識できるため、収集作業を行うべきごみ収集所をうっかり通り過ぎることを防止できる。
【００４４】
図９は、電子制御装置１０における記録処理を示すフローチャートである。ごみ収集ルートに設定されたごみ収集所に車両４１が到着すると、電子制御装置１０の制御部１６は、図９に示すごみ種別判定及び重量演算処理を実行する。この処理は、図７に示したごみ収集所自動認識処理に続いて実行される。
【００４５】
制御部１６は、車両４１によるごみの収集が開始されたか、すなわち、運転者（作業者）によるボタン操作等により、収集開始を示す信号が電子制御装置１０に入力されたか否かを判断する（ステップＳ３１）。ごみ収集が開始されると（ステップＳ３１でＹｅｓ）、制御部１６は、現在の日付が、ペットボトルなどの特定廃棄物回収日として設定された日に該当するか否かを判断する（ステップＳ３２）。該当しなければ、制御部１６は、収集重量の演算を行う（ステップＳ３３）。車両４１に対するごみの積載が開始されると、各荷重センサ２５Ａ〜２５Ｄから各車輪４４Ａ〜４４Ｄに加わる荷重のデータが電子制御装置１０に送られる。制御部１６は、荷重センサ２５Ａ〜２５Ｄから送られた、各車輪４４Ａ〜４４Ｄに加わる荷重のデータから、各車軸４３Ａ，４３Ｂにかかる荷重を計算し、すべての合算値を廃棄物収集量（重量値）として算出する。
【００４６】
制御部１６は、ごみ収集が終了したか、すなわち、ボタン操作等により、収集終了を示す信号が電子制御装置１０に入力されたか否かを判断する（ステップＳ３４）。ごみ収集が終了すると（ステップＳ３４でＹｅｓ）、制御部１６は、廃棄物収集量（収集重量）を固定する（ステップＳ３５）。そして、制御部１６は、車両４１がごみを収集した日時、収集重量、及びごみ収集所名（車両４１がごみを収集した位置）を紐付けしたデータを、本体メモリ１２に記録する（ステップＳ３６）。さらに、制御部１６は、この紐付けしたデータを、記録カード２１に記録し（ステップＳ３７）、無線通信部２４を介してサーバへ送信して（ステップＳ３８）、処理を終了する。尚、特定廃棄物の取集日が設定されていない場合には、ステップＳ３２の処理を行わず、制御部１６はステップＳ３１の処理後、ステップＳ３３の処理に進む。この場合、後述するステップＳ３９及びＳ４０の処理は不要となる。
【００４７】
一方、ステップＳ３２において、特定廃棄物回収日に該当する場合、制御部１６は、ステップＳ３４と同様に、ごみ収集が終了したかを判断して（ステップＳ３９）、収集重量を空白とする（ステップＳ４０）。ペットボトルなどの特定廃棄物の場合、収集した廃棄物の重量がその体積に対して小さいため、収集重量の計算を行わない。したがって、特定廃棄物の場合は、ステップＳ３６〜Ｓ３８において、特定廃棄物を収集した日時及びごみ収集所名を紐づけしたデータが記録又は送信される。
【００４８】
図９のステップＳ３８において紐付けしたデータを受信したサーバは、車両４１の現在位置とごみ収集状況（各ごみ収集所の通過時間及び収集重量）をリアルタイムでウェブページ上に表示させる。このサーバと図１に示した運行状況記録装置（電子制御装置１０）とは、運行状況提示システムを構成する。図１０は、通常ごみ（特定廃棄物以外の一般廃棄物）の収集状況を提示するウェブページのイメージ図であり、図１１は、特定廃棄物の収集状況を提示するウェブページのイメージ図である。図１０及び図１１において、地図上に各ごみ収集所の位置が表示され、その近傍に、ごみ収集所名（車両４１がごみを収集した位置）及び車両４１がごみを収集した時刻、並びに、車両４１に積載されたごみの重量（収集重量）が一連のデータとして表示される。
【００４９】
通常ごみの場合は、図１０に示すように、地図上の各ごみ収集所の位置近傍において、ごみ収集所名、車両４１がそのごみ収集所を通過した（ごみ収集を完了した）時刻、及びそのごみ収集所で車両４１が収集したごみの重量（収集重量）が表示される。ペットボトルなどの特定廃棄物の場合は、図１１に示すように、地図上の各ごみ収集所の位置近傍において、ごみ収集所名、車両４１がそのごみ収集所を通過した時刻、及び「特定廃棄物」との表示がなされる。また、図１０及び図１１において、ごみ収集ルートに含まれ、車両４１が到着する予定のごみ収集所については、地図上に、その位置とごみ収集所名が表示され、時刻と収集重量（「特定廃棄物」の表示）の欄は空白となっている。さらに、地図上において、車両４１が直近に通過したごみ収集所の位置と次に到着すべきごみ収集所の位置との間に、破線と車両のイメージとが表示される。この表示により、車両４１がどの辺りを通過しているかを把握しやすくなる。
【００５０】
このように、ごみ収集車（車両）の現在位置とごみ収集状況をサーバがウェブページ上に公開することで、ごみ収集を委託している自治体職員や住民は、このウェブページを閲覧して、リアルタイムにごみ収集車の現在位置やごみ収集状況を確認できる。したがって、住民のごみ収集業務に対する信頼度向上が期待できる。また、ＧＰＳ受信機や地図データを車載器に搭載することなく、車両の移動経路を記録できるため、システムのコストダウンが可能となる。尚、ごみ収集状況を開示するウェブページに、日付を表示させてもよい。
【００５１】
以上説明したように、本実施形態の運行状況記録装置及び運行状況提示システムによれば、車両４１が廃棄物を収集した場所及び日時、並びに車両４１に積載された廃棄物の重量を紐付けして記録することにより、車両４１のごみ収集状況を客観的に示すことができる。よって、車両４１（ごみ収集車）のごみ収集業務に関するエビデンスを提示できる。
【００５２】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。例えば、前述した実施形態では、運行状況記録装置が車両４１に搭載される電子制御装置１０として構成される例を示したが、運行状況記録装置は車両に搭載されなくてもよい。例えば、車両を管理する事務所ＰＣに、ドライブレコーダー２６及び荷重センサ２５からのデータを入力し、ごみ収集所自動認識処理（図７）及びごみ種別判定及び重量演算処理（図９）を実行してもよい。
【００５３】
また、前述した実施形態では、ごみ収集車が廃棄物を収集する例を示したが、本発明は、廃棄物に限らず種々の荷物を車両に積載する場合に適用可能である。さらに、前述した実施形態では、ＱＲコード（登録商標）を認識して車両４１の位置を特定したが、ＱＲコードに限らず、施設を示す識別情報を記録した他のコードを認識してもよい。また、ドライブレコーダー２６の画像に対する文字認識により、直接的に住所や施設名等を把握して、車両の位置を特定してもよい。
【００５４】
ここで、上述した本発明の実施形態に係る運行状況記録装置及び運行状況提示システムの特徴をそれぞれ以下［１］〜［７］に簡潔に纏めて列記する。
［１］  荷物を収集する車両（４１）の運行状況を記録する運行状況記録装置（電子制御装置１０）であって、
前記車両に搭載されたカメラ（ドライブレコーダー２６）が撮影した画像に基づいて前記車両の位置を特定する特定部（制御部１６）と、
前記車両に積載された荷物の重量を算出する算出部（制御部１６）と、
特定した位置、算出した重量、及び前記荷物が積載された日時を、互いに関連付けて記録する記録部（制御部１６）と、を備える
ことを特徴する運行状況記録装置。
［２］  前記特定部が特定した前記車両の位置が、予め登録された地点であるかを判断し、予め登録された地点である場合に報知信号を生成する制御部（１６）を備える
ことを特徴とする上記［１］に記載の運行状況記録装置。
［３］  前記制御部は、複数の施設をいずれの順序で移動するかを定めたルートを示すルート情報を参照して、前記特定部が特定した前記車両の位置が、予め登録された地点であるか否かを判断する
ことを特徴とする上記［２］に記載の運行状況記録装置。
［４］  日付又は曜日が予め定められた条件を満たすか否かを判断する判断部（制御部１６）を備え、
前記条件を満たす場合、前記記録部は、前記算出部に前記荷物の重量を算出させず、前記記録部に、特定した位置、及び前記荷物が積載された日時を、互いに関連付けて記録させる
ことを特徴とする上記［１］〜［３］のいずれか一に記載の運行状況記録装置。
［５］  前記算出部は、前記特定部が特定した前記位置における前記荷物の増加分を前記重量として算出する
ことを特徴とする上記［１］〜［３］のいずれか一に記載の運行状況記録装置。
［６］  前記カメラが撮影した画像には、施設に設置され前記施設を示す識別情報を記録したコード（ＱＲコード）が含まれ、
前記特定部は、前記画像から前記コードを認識し、前記コードから読み取った前記識別情報が示す前記施設の位置を前記車両の位置として特定する
ことを特徴とする上記［１］〜［５］のいずれか一に記載の運行状況記録装置。
［７］  上記［１］〜［６］のいずれか一に記載された運行状況記録装置と、
前記運行状況記録装置が記録した内容をリアルタイムで提示する提示装置と、
を備える運行状況提示システム。
【符号の説明】
【００５５】
１０  電子制御装置
１１  旋回加速度検出部
１２  本体メモリ
１３  外部出力Ｉ／Ｆ
１４  警報出力部
１５  表示部
１６  制御部
１７  電源部
２１  記録カード
２２  警報出力部
２３  車両電源
２４  無線通信部
２５，２５Ａ〜２５Ｄ  荷重センサ
２６  ドライブレコーダー
２７  設定用パソコン
３１  検出素子
３２  専用ＩＣ（ＡＩＳＣ）
３３  Ｖ／Ｆ変換回路
３４  ＭＣＵ
３５  入出力Ｉ／Ｆ
３６  電源回路
４１  車両
４２  荷台
４３Ａ，４３Ｂ  車軸
４４Ａ〜４４Ｄ  車輪
５０  ＱＲコード（登録商標）
【図１】
2020194213.tif 000003
【図２】
2020194213.tif 000004
【図３】
2020194213.tif 000005
【図４】
2020194213.tif 000006
【図５】
2020194213.tif 000007
【図６】
2020194213.tif 000008
【図７】
2020194213.tif 000009
【図８】
2020194213.tif 000010
【図９】
2020194213.tif 000011
【図１０】
2020194213.tif 000012
【図１１】
2020194213.tif 000013